(57)【特許請求の範囲】
【請求項１】
建造物の壁面またはその上に形成された下地層上にタイルを貼り付けた壁構造であって、前記壁面または下地層を下方に行くに従って外方に突出し傾斜度が１／４００〜１／２００の範囲内の傾斜面とし、この傾斜面にタイルを貼り付けたことを特徴とする壁構造。
【請求項２】
前記壁面または下地層が、縦方向に複数の傾斜面を有する鋸歯状の縦断面形状を有することを特徴とする請求項１に記載の壁構造。
【請求項３】
前記壁面または下地層の複数の傾斜面における下方部の傾斜面の上端に、その厚さ寸法が他のタイルの厚さ寸法よりも大きく、かつ、上方の傾斜面の下端部と下方の傾斜面の上端部との段差寸法＋タイルの厚さ寸法よりも小さいか同等の厚タイルが貼り付けられていることを特徴とする請求項１または２に記載の壁構造。
【請求項４】
前記厚タイルが、水平方向または垂直方向に複数の溝部を有することを特徴とする請求項３に記載の壁構造。
【発明の詳細な説明】
【０００１】
【発明の属する技術分野】
本発明は、建造物の壁構造に関し、特に、新規な建造物は勿論のこと、既設建造物の外装リニューアル対して有効なタイルを貼り付けた壁構造に関するものである。
【０００２】
【従来の技術】
ビルなどの建造物の壁構造において、図４に示すように、構造物１００の外壁ボード１１０（鉄筋コンクリート構造建物の場合は、構造物１００であるコンクリート躯体壁そのもの）の外面にモルタルなどからなる下地層１２０を形成し、この下地層１２０の上からセメントなどの接着剤１３０を介してタイル１４０を貼り付けたものがある。
【０００３】
また、モルタル壁の修復時において、図５に示すように、構造物２００のモルタル層２１０の表面（図示２点鎖線位置）から所定厚さ寸法分をジェット水で剥離してその凹凸面上に下地層２２０を形成してその表面を平坦化しその上からセメントなどの接着剤２３０を介してタイル２４０を貼り付ける場合がある。
【０００４】
【発明が解決しようとする課題】
上記のいずれにしても、下地層１２０，２２０が垂直面であったり、使用年数が長くなることによって、凹凸状のうねりを生じたりしている場合は、下地層１２０，２２０と接着剤１３０，２３０、または接着剤１３０，２３０とタイル１４０，２４０との熱膨張係数の違いなどに起因して、タイル１４０，２４０が剥離して落下する場合があった。このようなタイル１４０，２４０の剥離落下は、壁面に凹凸状のうねりを生じた場合に、そのうねりの上向き（オーバーハング）部分で、タイル１４０，２４０の重量が長期間貼着面に作用する状態で生じやすくなる。
【０００５】
万一、タイルが落下すると、落下したタイル跡によって外壁面が見苦しくなるばかりでなく、落下したタイルが通行人ぶつかって怪我をさせたり、地上の自動車その他の物にぶつかって損傷させたりするという危険性があった。
【０００６】
そこで、本発明は、壁面または下地層の上からタイルを貼り付けた壁構造において、新規な建造物は勿論のこと、既設の建造物の外装リニューアルに対して有効な、タイルの剥離落下を生じ難い壁構造を提供することを目的とする。
【０００７】
【課題を解決するための手段】
本発明の壁構造は、上記の課題を解決するために、建造物の壁面またはその上に形成された下地層上にタイルを貼り付けた壁構造であって、前記壁面または下地層を下方に行くに従って外方に突出し傾斜度が１／４００〜１／２００の範囲内の傾斜面とし、この傾斜面にタイルを貼り付けたことを特徴とするものである。
【０００８】
ここで、上記の「壁面」なる用語には、鉄筋コンクリート構造建物の場合における建物壁面および鉄骨構造建物の場合における外壁ボードの壁面を含むものである。
【０００９】
上記の壁構造によれば、個々のタイルの全重量が建造物の壁面またはその上に形成された下地層と接着剤との界面、または接着剤とタイルとの界面に作用しないで、壁面または下地層の傾斜面が重量の一部を分担するので、それだけ壁面または下地層と接着剤との接着界面、または接着剤とタイルとの貼着面に作用する剥離応力が小さくなることよって、新規な建造物は勿論のこと、既設の建造物の外装リニューアルに対しても、タイルが剥離し難くなる。
【００１０】
傾斜面の傾斜度１／４００とは、壁面または下地層を４００ｃｍ下がったときに段差寸法が１ｃｍだけ生じるような傾斜をいう。前記傾斜度が１／４００は傾斜角度にすると約０．２°に相当し、傾斜度が１／２００は傾斜角度にすると約０．３°に相当する。なお、この傾斜度は、傾斜の程度を表すものであって、必ずしも、実際に壁面または下地層を４００ｃｍ下がったときに段差寸法が１ｃｍだけ生じる場合だけではなく、例えば、壁面または下地層を２００ｃｍ下がったときに段差寸法が０．５ｃｍだけ生じるような場合をも含むものである。
【００１１】
上記の壁面または下地層の傾斜面の傾斜度が１／４００未満の場合は、傾斜面によってタイルを支持する効果が小さくなり、傾斜度が１／２００を超えると、壁面または下地層の傾斜が強く感じられて違和感が生じ落ち着かなくなる人が生じる場合がある。
【００１２】
上記の壁構造によれば、壁面または下地層の傾斜面によってタイルの剥離落下を防止できると共に、その壁面または下地層上に貼り付けられたタイルの傾斜が気になることがなくなる。
【００１３】
本発明の請求項２に記載された壁構造は、前記壁面または下地層が、縦方向に複数の傾斜面を有する鋸歯状の縦断面形状を有することを特徴とするるものである。
【００１４】
上記の壁構造によれば、壁面全体が単一の傾斜面で形成されている場合に比較して、上方の傾斜面の下端部から内方に後退し、その後退した位置から下方の傾斜面が始まるので、高さ寸法が大きい高層建造物の場合でも、最下方部の傾斜面の下端部が最上方部の傾斜面の上端部に対して外方へ突出する突出寸法を小さくすることができ、高層建造物でも小さい地上面積に収めることができる。あるいは、所定の地上面積に対する最上階部分の床面積を小さくしなくてもよくなる。
【００１５】
本発明の請求項３に記載された壁構造は、前記壁面または下地層の複数の傾斜面における下方部の傾斜面の上端に、その厚さ寸法が他のタイルの厚さ寸法よりも大きく、かつ、上方の傾斜面の下端部と下方の傾斜面の上端部との段差寸法＋タイルの厚さ寸法よりも小さいか同等の厚タイルが貼り付けられていることを特徴とするものである。
【００１６】
上記の壁構造によれば、厚タイルによって、上方の傾斜面に貼り付けられたタイルと下方の傾斜面に貼り付けられたタイルとの段差を無くすか小さくして、境界面に影が出来ないか、影を小さくすることができ、複数の傾斜面を設けたことによる違和感を無くすことができる。
【００１７】
本発明の請求項４に記載された壁構造は、前記厚タイルが、水平方向または垂直方向に複数の溝部を有することを特徴とするものである。
【００１８】
上記の構成によれば、厚タイルによって単に上方の傾斜面と下方の傾斜面との境界部の影を無くすのみならず、厚タイルの溝部によって積極的にその境界部分の装飾性を向上することができる。
【００１９】
【発明の実施の形態】
以下、本発明の実施形態に係る壁構造について、図面を参照して説明する。図１は鉄骨構造建物の壁構造の縦断面図である。図１において、１は鉄骨で、この鉄骨１に外壁ボード２がボルトなどによって取り付けられており、この外壁ボード２の外面にモルタルなどにより下方に行くに従って外方に突出する複数の傾斜面３ａ，３ｂ，…を有する下地層３が形成されており（鉄筋コンクリート構造建物の場合は、コンクリートの躯体、以下同じ）、この傾斜面３ａ，３ｂ，…に対して、セメントなどによる接着剤４を介してタイル５が貼り付けられている。
【００２０】
ここで、高さ寸法が小さい建造物にあっては、一つの壁面に対して単一の傾斜面とする構造を採用しても良いが、高さ寸法が大きい高層建造物にあっては、単一の傾斜面にすると、壁面の最下端部は最上端部に対して相当寸法外方に突出することになり、建造物の高さ寸法が高くなればなるほど、最上方端部に対する最下方端部の突出寸法が大きくなり、大きな地上面積が必要になるか、限られた地上面積の上の建造物では、最上階部分の有効床面積が小さくなるという問題点がある。
【００２１】
そこで、図１では、下地層３の縦方向に複数の傾斜面３ａ，３ｂ，…を形成して、その縦断面形状が鋸歯状となるようにしている。このような構成を採用することによって、最上方部分の壁面に対する最下方部分の壁面の外方への突出寸法を小さくすることができ、大きな地上面積が不要になるか、限られた地上面積上の建造物でも、最上階部分の有効床面積が小さくなることがない。
【００２２】
前記傾斜面３ａ，３ｂ，…の傾斜度は任意に設定できるが、例えば、１／４００〜１／２００程度にすることができる。傾斜角度が１／４００未満では、傾斜面３ａ，３ｂ，…によるタイル４の剥離防止効果が小さくなるし、１／２００を超えると、人によっては壁面が垂直面に見えなくなり、傾斜面による不自然さが生じることがある。
【００２３】
このように下地層３の傾斜面３ａ，３ｂ，…に対してタイル５を貼り付けると、タイル５の全重量がタイル５と下地層３との貼着面に作用しないで、その一部が傾斜面３ａ，３ｂ，…で分担支持されるために、タイル５が剥離落下し難くなる。
【００２４】
図２は本発明の第２実施形態に係る壁構造の縦断面図で、上方の傾斜面３ａと下方の傾斜面３ｂとの境界部である、下方の傾斜面３ｂの上端部に、厚タイル６を貼り付けたものである。
【００２５】
この厚タイル６の厚さ寸法ｔ２は、他のタイル５の厚さ寸法ｔ１よりは大きく（ｔ２＞ｔ１）、かつ、上方の傾斜面３ａの下端部と下方の傾斜面３ｂの上端部との段差寸法Ｄ＋タイル５の厚さ寸法ｔ１より小さいか（ｔ２＜Ｄ＋ｔ１）、同等（ｔ２＝＜Ｄ＋ｔ１）に設定されている。すなわち、ｔ１＜ｔ２≦Ｄ＋ｔ１に設定されている。
【００２６】
このような壁構造によると、上方の傾斜面３ａと下方の傾斜面３ｂとの境界部に、厚タイル６を配置したことにより、上記段差寸法Ｄによる影が生じなくなるか、影が小さくなり、壁面の美観が損なわれない。
【００２７】
この厚タイル６は、任意の断面形状にできるが、例えば、図２に示すように、水平方向に溝部６ａを有するものや、図３（Ａ）（Ｂ）に示す厚タイル７のように、垂直方向に溝部７ａを有する凹凸形状にすると、目障りな大きな影がなくなるばかりでなく、溝部６ａ，７ａによって、装飾性が向上してすっきりとした美観が得られる。
【００２８】
【発明の効果】
本発明の壁構造は、以上のように、建造物の壁面またはその上に形成した下地層上にタイルを貼り付けた壁構造であって、前記壁面または下地層を下方に行くに従って外方に突出する傾斜面とし、この傾斜面にタイルを貼り付けたことを特徴とするものであるから、タイルの全重量が壁面または下地層とタイルとの貼着面に作用せず、その一部が壁面または下地層によって分担支持されるために、タイルの剥離落下を防止できるという効果を奏する。
【図面の簡単な説明】
【図１】  本発明の実施形態に係る鉄骨構造建物の壁構造の部分縦断面図である。
【図２】  本発明の他の実施形態に係る壁構造の部分縦断面図である。
【図３】  （Ａ）は本発明のさらに他の実施形態に係る壁構造の部分正面図、
（Ｂ）は（Ａ）の壁構造のＡ−Ａ線に沿った断面図である。
【図４】  従来の壁構造の部分縦断面図である。
【図５】  従来の他の壁構造の部分縦断面図である。
【符号の説明】
１  鉄骨
２  外壁ボード
３  下地層
３ａ，３ｂ  傾斜面
４  接着剤
５  タイル
６，７  装飾タイル
６ａ，７ａ  溝部
【図１】
0003981577.tif 000002
【図２】
0003981577.tif 000003
【図３】
0003981577.tif 000004
【図４】
0003981577.tif 000005
【図５】
0003981577.tif 000006